(57)【要約】【課題】光学ビューファインダと電子ビューファインダとの切換え時に観察者に与える違和感を軽減すること。【解決手段】撮影光学系１６と、撮影光学系１６を介して被写体像が結像されるＣＣＤ２０と、ＣＣＤ２０により撮像された被写体像を表示画像として表示するＬＣＤ６２と、接眼部５６を有するファインダ５０と、ファインダ５０に入射した光学像およびＬＣＤ６２に表示された表示画像のうちでファインダ５０の接眼部５６に導く像を切り換える手段（遮蔽材６４、ＬＣＤドライバ６０等）と、ＬＣＤ６２に表示される被写体像を変倍させる撮影光学系ドライバ３８を備え、ＣＰＵ１２は、光学像と表示画像との切換えを行なうとき、光学像と表示画像とで画角が異なる場合には、変倍により切換えの前後で表示画像の画角と光学像の画角とを一致させる。【選択図】  図１
2012063716.tif 000002
【特許請求の範囲】
【請求項１】
撮影光学系と、
前記撮影光学系を介して被写体像が結像される撮像素子と、
前記撮像素子により撮像された被写体像を表示画像として表示する表示素子と、
接眼部を有するファインダと、
前記ファインダに入射した光学像および前記表示素子に表示された前記表示画像のうちで前記ファインダの前記接眼部に導かれる像を切り換える切換手段と、
前記表示素子に表示される前記被写体像を変倍する変倍手段と、
前記切換手段により前記光学像と前記表示画像との切り換えを行うとき、前記光学像と前記表示画像とで画角が異なる場合には、前記変倍手段の変倍により切り換えの前後で前記表示画像の画角と前記光学像の画角とを一致させる制御手段と、
を備えたことを特徴とするハイブリッドファインダ装置。
【請求項２】
前記制御手段は、前記ファインダの前記接眼部に導かれる像を前記光学像から前記表示画像に切り換えるとき、切換直後の前記表示画像の画角を前記光学像と同じ画角に設定した後に、前記表示画像の画角を撮影範囲まで徐々に変化させることを特徴とする請求項１に記載のハイブリッドファインダ装置。
【請求項３】
前記制御手段は、前記ファインダの前記接眼部に導かれる像を前記表示画像から前記光学像に切り換えるとき、前記表示画像の画角を前記光学像の画角まで徐々に変化させた後に、前記表示画像から前記光学像に切り換えることを特徴とする請求項１または２に記載のハイブリッドファインダ装置。
【請求項４】
前記制御手段は、前記光学像を前記接眼部に導いているとき、前記表示素子に撮影範囲に応じた枠を表示させて、該枠を前記光学像に重ね合わせることを特徴とする請求項１ないし３のうちいずれか１項に記載のハイブリッドファインダ装置。
【請求項５】
前記変倍手段は、光学変倍および電子変倍のうち少なくとも一方により前記変倍を行うことを特徴とする請求項１ないし４のうちいずれか１項に記載のハイブリッドファインダ装置。
【請求項６】
前記ファインダは、前記撮影光学系とは異なる単焦点の光学系を有することを特徴とする請求項１ないし５のうちいずれか１項に記載のハイブリッドファインダ装置。
【請求項７】
請求項１ないし６のうちいずれか１項に記載のハイブリッドファインダ装置を備え、
前記撮像素子により撮像された被写体像を静止画像または動画像として記録媒体に記録することを特徴とする撮像装置。
【請求項８】
撮影光学系と、前記撮影光学系を介して被写体像が結像される撮像素子と、表示素子と、接眼部を有するファインダと、前記ファインダに入射した光学像および前記表示素子に表示された表示画像のうちで前記ファインダの前記接眼部に導かれる像を切り換える切換手段とを用いるハイブリッドファインダ制御方法であって、
前記ファインダに入射した光学像を前記ファインダの前記接眼部に導くステップと、
前記撮像素子により撮像された被写体像を前記表示素子に前記表示画像として表示させるとともに前記表示画像の画角を前記光学像の画角に一致させて、前記ファインダの前記接眼部に導かれる像を前記光学像から前記表示画像に切り換えるステップと、
前記表示画像の画角を撮影範囲まで徐々に変化させるステップと、
を備えたことを特徴とするハイブリッドファインダ制御方法。
【請求項９】
撮影光学系と、前記撮影光学系を介して被写体像が結像される撮像素子と、表示素子と、接眼部を有するファインダと、前記ファインダに入射した光学像および前記表示素子に表示された表示画像のうちで前記ファインダの前記接眼部に導かれる像を切り換える切換手段とを用いるハイブリッドファインダ制御方法であって、
前記撮像素子により撮像された被写体像を前記表示素子に前記表示画像として表示させて、該表示画像を前記接眼部に導くステップと、
前記表示画像の画角を前記光学像と同じ画角まで徐々に変化させるステップと、
前記表示画像の画角が前記光学像の画角に一致したとき前記接眼部に導かれる像を前記表示画像から前記光学像に切り換えるステップと、
を備えたことを特徴とするハイブリッドファインダ制御方法。
【請求項１０】
前記光学像を前記接眼部に導いているとき、前記表示素子に撮影範囲に応じた枠を表示させて、該枠を前記光学像に重ね合わせることを特徴とする請求項８または９に記載のハイブリッドファインダ制御方法。
【発明の詳細な説明】
【技術分野】
【０００１】
本発明は、光学ビューファインダと電子ビューファインダとの切換え時に観察者に与える違和感を軽減することができるハイブリッドファインダ装置、撮像装置およびハイブリッドファインダ制御方法に関する。
【背景技術】
【０００２】
光学ビューファインダに入射した光学像と、電子ビューファインダとして表示素子によって電子的に表示された画像（電子表示画像）とをそれぞれハーフミラーを介して接眼レンズに導く光学系を有したハイブリッドファインダが知られている（特許文献１を参照）。
【０００３】
また、特許文献２には、光学ビューファインダに、ズーム倍率に応じた撮影範囲を示す画枠を表示する構成が開示されている。また、特許文献３には、光学ビューファインダの視野枠を電子ズーム倍率に合わせて変更し、視野枠外はマスクする構成が開示されている。また、特許文献４には、光学ビューファインダにエリア表示用のマークを設けた構成が開示されている。
【先行技術文献】
【特許文献】
【０００４】
【特許文献１】特開平４−３０６７７号公報
【特許文献２】特開平５−２６０３５２号公報
【特許文献３】特開平１１−２８４８９８号公報
【特許文献４】特開２０１０−２１８３９号公報
【発明の概要】
【発明が解決しようとする課題】
【０００５】
光学ビューファインダは、表示に応答遅れが無い、表示画像が鮮明である等、電子ビューファインダに対し、一定の優位性がある。特に、光学ビューファインダを覗いて撮影を行う写真愛好家にとっては、いちいちカメラから顔を離して背面の液晶表示を見るのは面倒でもある。一方、電子ビューファインダは、光学ビューファインダ（特に単焦点の光学ビューファインダ）に対し、パララックスが無い、撮影画像と一致して表示された表示画像を確認できる等の優位点がある。したがって、光学ビューファインダと電子ビューファインダとを組み合わせたハイブリッドファインダにより、状況に応じて両者を使い分けたいという要求がある。
【０００６】
しかし、図６（Ａ）に示すように、光学ビューファインダ（ＯＶＦ）から電子ビューファインダ（ＥＶＦ）への切換え時、光学像（ＯＶＦ像）の画角よりも電子表示画像（ＥＶＦ像）の画角が小さいと、観察者の目には被写体が急に大きく変化して見える。図６（Ａ）にて、太線枠は光学ビューファインダ時に見えるＯＶＦ像を示し、細線枠は電子ビューファインダ時に見えるＥＶＦ像を示している。特に、光学ビューファインダが単焦点の場合、ＥＶＦ像が撮影レンズのズーミングに併せて変化するのに対し、ＯＶＦ像は一定であるため、切換え時の変化が大きくなり、観察者に大きな違和感を与える。また、図６（Ｂ）に示すように、電子ビューファインダから光学ビューファインダへの切換え時、観察者の目には被写体が急に小さく変化して見えることがある。
【０００７】
即ち、ハイブリッドファインダにおいては、光学ビューファインダと電子ビューファインダとを切り換えるときに接眼部に導かれる画像の画角が異なるため、観察者に大きな違和感を与えるという課題があった。
【０００８】
本発明はこのような事情に鑑みてなされたもので、光学ビューファインダと電子ビューファインダとの切換え時に観察者に与える違和感を軽減することができるハイブリッドファインダ装置、撮像装置およびハイブリッドファインダ制御方法を提供することを目的とする。
【課題を解決するための手段】
【０００９】
前記目的を達成するために、本発明は、撮影光学系と、前記撮影光学系を介して被写体像が結像される撮像素子と、前記撮像素子により撮像された被写体像を表示画像として表示する表示素子と、接眼部を有するファインダと、前記ファインダに入射した光学像および前記表示素子に表示された前記表示画像のうちで前記ファインダの前記接眼部に導かれる像を切り換える切換手段と、前記表示素子に表示される前記被写体像を変倍する変倍手段と、前記切換手段により前記光学像と前記表示画像との切り換えを行うとき、前記光学像と前記表示画像とで画角が異なる場合には、前記変倍手段の変倍により切り換えの前後で前記表示画像の画角と前記光学像の画角とを一致させる制御手段と、を備えたことを特徴とするハイブリッドファインダ装置を提供する。
【００１０】
本発明の一実施形態にて、前記制御手段は、前記ファインダの前記接眼部に導かれる像を前記光学像から前記表示画像に切り換えるとき、切換直後の前記表示画像の画角を前記光学像と同じ画角に設定した後に、前記表示画像の画角を撮影範囲まで徐々に変化させることを特徴とする。
【００１１】
本発明の一実施形態にて、前記制御手段は、前記ファインダの前記接眼部に導かれる像を前記表示画像から前記光学像に切り換えるとき、前記表示画像の画角を前記光学像の画角まで徐々に変化させた後に、前記表示画像から前記光学像に切り換えることを特徴とする。
【００１２】
本発明の一実施形態にて、前記制御手段は、前記光学像を前記接眼部に導いているとき、前記表示素子に撮影範囲に応じた枠を表示させて、該枠を前記光学像に重ね合わせることを特徴とする。
【００１３】
本発明の一実施形態にて、前記変倍手段は、光学変倍および電子変倍のうち少なくとも一方により前記変倍を行うことを特徴とする。
【００１４】
本発明の一実施形態にて、前記ファインダは、前記撮影光学系とは異なる単焦点の光学系を有することを特徴とする。
【００１５】
また、本発明は、前記ハイブリッドファインダ装置を備え、前記撮像素子により撮像された被写体像を静止画像または動画像として記録媒体に記録することを特徴とする撮像装置を提供する。
【００１６】
また、本発明は、撮影光学系と、前記撮影光学系を介して被写体像が結像される撮像素子と、表示素子と、接眼部を有するファインダと、前記ファインダに入射した光学像および前記表示素子に表示された表示画像のうちで前記ファインダの前記接眼部に導かれる像を切り換える切換手段とを用いるハイブリッドファインダ制御方法であって、前記ファインダに入射した光学像を前記ファインダの前記接眼部に導くステップと、前記撮像素子により撮像された被写体像を前記表示素子に前記表示画像として表示させるとともに前記表示画像の画角を前記光学像の画角に一致させて、前記ファインダの前記接眼部に導かれる像を前記光学像から前記表示画像に切り換えるステップと、前記表示画像の画角を撮影範囲まで徐々に変化させるステップと、を備えたことを特徴とするハイブリッドファインダ制御方法を提供する。
【００１７】
また、本発明は、撮影光学系と、前記撮影光学系を介して被写体像が結像される撮像素子と、表示素子と、接眼部を有するファインダと、前記ファインダに入射した光学像および前記表示素子に表示された表示画像のうちで前記ファインダの前記接眼部に導かれる像を切り換える切換手段とを用いるハイブリッドファインダ制御方法であって、前記撮像素子により撮像された被写体像を前記表示素子に前記表示画像として表示させて、該表示画像を前記接眼部に導くステップと、前記表示画像の画角を前記光学像と同じ画角まで徐々に変化させるステップと、前記表示画像の画角が前記光学像の画角に一致したとき前記接眼部に導かれる像を前記表示画像から前記光学像に切り換えるステップと、を備えたことを特徴とするハイブリッドファインダ制御方法を提供する。
【００１８】
本発明の一実施形態では、前記ハイブリッドファインダ制御方法にて、前記光学像を前記接眼部に導いているとき、前記表示素子に撮影範囲に応じた枠を表示させて、該枠を前記光学像に重ね合わせることを特徴とする。
【発明の効果】
【００１９】
本発明によれば、光学ビューファインダと電子ビューファインダとの切換え時に観察者に与える違和感を軽減することができる。
【図面の簡単な説明】
【００２０】
【図１】本発明を適用した撮像装置の一例の全体構成図
【図２】観察像を光学像から表示画像に切り換える場合の制御例を示す説明図
【図３】観察像を表示画像から光学像に切り換える場合の制御例を示す説明図
【図４】人物撮影時における枠表示の説明に用いる説明図
【図５】人物以外の被写体撮影時における枠表示の説明に用いる説明図
【図６】本発明の課題の説明に用いる説明図
【発明を実施するための形態】
【００２１】
以下、添付図面に従って、本発明の実施形態について、詳細に説明する。
【００２２】
図１は、本発明に係るハイブリッドファインダ装置を適用した撮像装置の一例の全体構成図である。
【００２３】
本例の撮像装置１は、撮像した画像（静止画像および動画像のうち少なくとも一方）をメモリカード１０に記録するデジタルカメラであり、デジタルカメラ全体の動作は中央処理装置（ＣＰＵ）１２により制御される。
【００２４】
操作部１４は、各種の指示入力を受け付ける入力デバイスである。本例の操作部１４は、電源スイッチ、撮影モードと再生モードとを切り換えるためのモード切替スイッチ、ズーム（変倍）指示の入力を受け付けるズームキー、撮影指示等の入力を受け付けるシャッタボタン、および、ファインダ切換指示の入力を受け付けるファインダ切換スイッチを含む。ファインダ切換指示は、後述のようにハイブリッドファインダ５０を光学ビューファインダ（ＯＶＦ）状態に設定するか電子ビューファインダ（ＥＶＦ）状態に設定するかを示す。
【００２５】
撮影モード時にシャッタボタンがオンされると、ズームレンズとフォーカスレンズとを含む撮影レンズ１６および絞り１８を介して入射した被写体光が撮像素子（ＣＣＤ）２０の受光面に被写体像として結像され、その被写体像が撮像素子２０により撮像される。即ち、ＣＣＤ２０に蓄積された信号電荷がＣＣＤドライバ２２からの転送パルスによって信号電荷に応じた電圧信号（撮像信号）として順次読み出される。
【００２６】
ＣＣＤ２０から出力された電圧信号は、アナログ処理部２４に入力される。アナログ処理部２４により、相関二重サンプリング、色分離、ゲイン調整等の処理を施された信号は、Ａ／Ｄ変換器２６によりアナログからデジタルに変換された後、ＳＤＲＡＭなどの一時記憶装置２８に記憶される。一時記憶装置２８は、高速連写ができるように、数コマ分の撮像信号（ＲＡＷデータ）を一時記憶可能な記憶容量を有している。タイミングジェネレータ（ＴＧ）３０は、ＣＰＵ１２の指令に従ってＣＣＤドライバ２２、アナログ処理部２４およびＡ／Ｄ変換器２６に対して各回路の同期をとるためのタイミング信号を与えている。
【００２７】
ＲＯＭ３２には、予めプログラムやプログラムの実行に必要なデータ等が記憶されており、これらのプログラムや調整値はＣＰＵ１２により適宜読み出される。
【００２８】
信号処理部３４は、Ｒ、Ｇ、Ｂ信号のゲインを調整してホワイトバランス（ＷＢ）補正を行うＷＢゲイン部と、ＷＢ補正された各Ｒ、Ｇ、Ｂ信号に対して所定のガンマ特性が記憶されたＲＯＭテーブルに従ってガンマ補正するガンマ補正部と、ＣＣＤ２０のカラーフィルタ配列に対応した色補間処理を行う色補間処理部と、輝度データＹおよび色差データＣr 、Ｃb の生成処理（ＹＣ変換）を行うＹＣ処理部と、輝度データＹにアパーチャ信号を付加して輪郭強調を行う輪郭強調部と、平滑化処理、メディアンフィルタ処理などのノイズ低減処理を行うノイズ低減処理部と、色差データＣr 、Ｃb のゲインを増減する彩度強調部等を有しており、一時記憶装置２８に記憶された撮像信号（ＲＡＷデータ）に対して各処理部で順次信号処理を行う。
【００２９】
一時記憶装置２８に記憶された撮像信号（ＲＡＷデータ）は、信号処理部３４によりＹＣデータに変換され、圧縮伸長処理部３６により圧縮処理が施されて、圧縮データとして再び一時記憶装置２８に記憶される。メディアコントローラ４２は、一時記憶装置２８に一時記憶された圧縮データを静止画像または動画像としてカードインターフェース４４を介してメモリカード１０に記録する。
【００３０】
なお、本例の撮影レンズ１６は、前述のようにズームレンズを有しており、光学変倍可能である。光学変倍の倍率は、ＣＰＵ１２の指令に従って、撮影光学系ドライバ３８により設定される。ＣＰＵ１２により電子変倍を行ってもよい。
【００３１】
次に、ハイブリッドファインダ５０およびその周辺部について説明する。
【００３２】
対物レンズ５２に入射した光学像（以下「ＯＶＦ像」という）は、ハーフミラー５４を透過して、接眼レンズ５６に導かれる。なお、図１では対物レンズ５２を一枚のレンズとして描いたが複数枚で構成されていてもよい。対物レンズ５２、ハーフミラー５４および接眼レンズ５６を含んで、光学ビューファインダが構成されている。本例は単焦点の光学ビューファインダであり、対物レンズ５２は光学変倍機能を有していない。
【００３３】
また、撮像素子２０から出力されてアナログ処理部２４、信号処理部３４等で信号処理された撮像信号（撮像画像）は、ビデオエンコーダ５８によりエンコーディングされて、ＬＣＤドライバ６０を介してＬＣＤ（表示素子）６２に出力される。これにより、撮像素子２０により撮像された被写体像がＬＣＤ６２の表示画面に電子表示画像（以下「ＥＶＦ像」という）として表示される。ＬＣＤ６２に表示されたＥＶＦ像は、ハーフミラー５４で反射されて、接眼レンズ５６に導かれる。ＬＣＤ６２、ハーフミラー５４および接眼レンズ５６を含んで、電子ビューファインダが構成されている。
【００３４】
遮蔽材６４は、対物レンズ５２およびハーフミラー５４の光路６６上に配置された遮蔽状態（図１に点線で示す）と、その光路６６から外れて退避した退避状態（図１に実線で示す）とを有する。遮蔽材６４の遮蔽状態および退避状態は、ＣＰＵ１２の指令に従って、遮蔽材ドライバ６８により切り換えられる。遮蔽状態の遮蔽材６４は、対物レンズ５２に入射したＯＶＦ像がハーフミラー５４を透過しないように遮蔽する。
【００３５】
本例の撮像装置１では、遮蔽材６４、遮蔽材ドライバ６８、およびＬＣＤドライバ６０により、ＯＶＦ像およびＥＶＦ像のうちで接眼レンズ５６に導かれる像（以下「ファインダ像」という）を切り換える切換手段が構成されている。
【００３６】
本例のＣＰＵ１２は、対物レンズ５２に入射したＯＶＦ像を接眼レンズ５６を介して観察可能な光学ビューファインダ（ＯＶＦ）状態では、遮蔽材ドライバ６８により遮蔽材６４を退避状態に設定するとともに、ＬＣＤドライバ６０によりＬＣＤ６２を非表示状態に設定する。なお、遮蔽材６４を退避状態に設定するとともにＬＣＤ６２を表示状態に設定することで、ＯＶＦ像とＥＶＦ像とを重ね合わせて接眼レンズ５６に導くことも可能である。また、本例のＣＰＵ１２は、ＬＣＤ６２に表示されたＥＶＦ像のみを接眼レンズ５６を介して観察可能な電子ビューファインダ（ＥＶＦ）状態では、遮蔽材ドライバ６８により遮蔽材６４を遮蔽状態に設定するとともに、ＬＣＤドライバ６０によりＬＣＤ６２を表示状態に設定する。
【００３７】
また、本例の撮像装置１では、撮影レンズ１６のズームレンズおよび撮影光学系ドライバ３８により、ＬＣＤ６２に表示される被写体像を変倍する構成となっている。即ち、本例では、光学変倍（光学ズーム）によりＥＶＦ像の画角を変更することが可能である。電子変倍（電子ズーム）によりＥＶＦ像の画角を変更してもよい。
【００３８】
また、本例のＣＰＵ１２は、ＯＶＦ像とＥＶＦ像とのうちで接眼レンズ５６に導かれる像の切り換えを行うとき、ＯＶＦ像とＥＶＦ像とで画角が異なる場合には、切り換えの前後でＯＶＦ像の画角とＥＶＦ像の画角とを一致させる制御を行う。
【００３９】
なお、遮蔽材６４を対物レンズ５２とハーフミラー５４との間に挿入する構成を図１に示したが、このような場合に特に限定されない。対物レンズ５２の前を遮蔽材で覆うようにしてもよいし、ハーフミラー５４内に遮蔽材を設けてもよい。
【００４０】
また、ＬＣＤドライバ６０によりＬＣＤ６２の表示状態および非表示状態を切り換える構成を例に図１に示したが、ＬＣＤ６２とハーフミラー５４との間にＥＶＦ像遮蔽用の遮蔽材を追加してもよい。
【００４１】
また、ハイブリッドファインダ５０の接眼部はレンズである場合に限定されない。透光性を有する材料で構成すればよい。
【００４２】
次に、図１および図２を用いて、接眼レンズ５６に導かれるファインダ像（観察像）をＯＶＦ像（光学像）からＥＶＦ像（電子表示画像）に切り換える制御例について、説明する。
【００４３】
図２左側のファインダ像２０１は、ＯＶＦ状態にて接眼レンズ５６を介して観察されるＯＶＦ像である。操作部１４のファインダ切換スイッチによりＯＶＦ状態が選択されており、観察者は、接眼レンズ５６を介して、ＯＶＦ像２０１を観察しているものとする。ＯＶＦ状態にて、本例のＣＰＵ１２は、遮蔽材ドライバ６８を介して遮蔽材６４を光路６６から外れた退避位置（図１に実線で示した位置）に退避させており、対物レンズ５２に入射した光学像（ＯＶＦ像）がハーフミラー５４を介して接眼レンズ５６に導かれている。また、ＯＶＦ状態にて、本例のＣＰＵ１２は、ＬＣＤドライバ６０を介してＬＣＤ６２を非表示状態に設定しており、ＬＣＤ６２に表示された電子表示画像（ＥＶＦ像）が接眼レンズ５６には導かれない。
【００４４】
次に、操作部１４のファインダ切換スイッチによりＥＶＦ状態への切換指示が入力されると、ＣＰＵ１２は、撮像素子２０により撮像された被写体像をＬＣＤ６２にＥＶＦ像として表示させるとともに、ＥＶＦ像の画角を対物レンズ５２に入射したＯＶＦ像の画角に一致させる。また、ＣＰＵ１２は、遮蔽材ドライバ６８を介して遮蔽材６４を遮蔽状態に設定する。即ち、接眼レンズ５６に導かれる観察像がＯＶＦ像からＥＶＦ像に切り換わる。観察者は、図２中央に示すように、ファインダ像２０２として、ＬＣＤ６２に表示されたＥＶＦ像を、直前に観察していたＯＶＦ像と同じ画角で、接眼レンズ５６を介して観察することになる。
【００４５】
次に、ＣＰＵ１２は、ＥＶＦ像２０２の画角を撮影範囲まで徐々に変化させる。本例では、図２中央のＥＶＦ像２０２を、図２右側に示した撮影範囲のＥＶＦ像３０３の画角になるまで、徐々に拡大させていく。本例では、撮影光学系ドライバ３８により撮影レンズ１６のズームレンズを駆動することで、光学変倍を行っている。ＥＶＦ像の画角変化時間は特に限定されないが、例えば１秒である。電子変倍により画角を変化させてもよい。
【００４６】
次に、図１および図３を用いて、接眼レンズ５６に導かれるファインダ像（観察像）をＥＶＦ像（電子表示画像）からＯＶＦ像（光学像）に切り換える制御例について、説明する。
【００４７】
図３左側のファインダ像３０１は、ＥＶＦ状態にて接眼レンズ５６を介して観察されるＥＶＦ像である。操作部１４のファインダ切換スイッチによりＥＶＦ状態が選択されており、観察者は、接眼レンズ５６を介して、ＥＶＦ像３０１を観察しているものとする。ＥＶＦ状態にて、ＣＰＵ１２は、遮蔽材ドライバ６８を介して遮蔽材６４を光路６６上の遮蔽位置（図１に点線で示した位置）に移動させて、対物レンズ５２に入射した光学像（ＯＶＦ像）が接眼レンズ５６に導かれないようにしている。また、ＥＶＦ状態にて、ＣＰＵ１２は、ＬＣＤドライバ６０を介してＬＣＤ６２を表示状態に設定しており、撮像素子２０により撮像された被写体像をビデオエンコーダ５８を介してＥＶＦ像としてＬＣＤ６２に表示させ、そのＥＶＦ像（電子表示画像）をハーフミラー５４を介して接眼レンズ５６に導いている。
【００４８】
次に、操作部１４のファインダ切換スイッチによりＯＶＦ状態への切換指示が入力されると、ＣＰＵ１２は、ＬＣＤ６２のＥＶＦ像の画角をＯＶＦ像（図３右側のファインダ像３０３）の画角まで徐々に変化させる。図３に示したＥＶＦ像３０１は、ＯＶＦ像３０３よりも画角が小さいので、ＯＶＦ像３０３の画角になるまで徐々に縮小させていく。本例では、撮影光学系ドライバ３８により撮影レンズ１６のズームレンズを駆動することで、光学変倍を行っている。電子変倍により画角を変化させてもよい。
【００４９】
ＥＶＦ像３０２の画角がＯＶＦ像３０３の画角に一致したとき、ＣＰＵ１２は、接眼レンズ５６に導かれる像（ファインダ像）をＥＶＦ像３０２からＯＶＦ像３０３に切り換える。本例のＣＰＵ１２は、遮蔽材ドライバ６８を介して遮蔽材６４を光路６６から外れた退避位置に退避させることで、対物レンズ５２に入射したＯＶＦ像をハーフミラー５４を介して接眼レンズ５６に導く。また、本例のＣＰＵ１２は、ＬＣＤドライバ６０を介してＬＣＤ６２を非表示状態に設定することで、ＥＶＦ像が接眼レンズ５６で観察されないようにする。
【００５０】
なお、図２および図３では、ＯＶＦ状態ではＯＶＦ像のみをファインダ像として観察させるようにした場合を例に説明したが、ＯＶＦ状態にてＬＣＤ６２に撮影範囲に応じた枠を表示し、その枠をＯＶＦ像に重ね合わせるようにしてもよい。
【００５１】
図４および図５中の最左列は、撮影画角がＷＩＤＥ（広角端）、中間段、ＴＥＬＥ（望遠端）と変わるのに応じて撮影画像が変化する様子を表している。図４および図５中の右三列は、ＯＶＦ状態でのファインダ像（観察像）、ＯＶＦ像（光学像）、ＥＶＦ像（電子表示画像）を示す。本例は単焦点の光学ビューファインダであり、ＯＶＦ像は撮影画角に応じて変化しないが、ＥＶＦ像の枠サイズは撮影画角に応じて変化させる。観察者は、ＯＶＦ状態にて、ＯＶＦ像とＥＶＦ像の枠とが重ね合わされたファインダ像を観察することになる。
【００５２】
本例のＣＰＵ１２は、操作部１４のファインダ切換スイッチによりＯＶＦ状態が選択されると、遮蔽材ドライバ６８を介して遮蔽材６４を退避位置に退避させるとともに、ビデオエンコーダ５８およびＬＣＤドライバ６０を介してＬＣＤ６２に撮影範囲に応じた枠を表示させる。即ち、対物レンズ５２に入射した光学像（ＯＶＦ像）がハーフミラー５４を介して接眼レンズ５６に導かれるとともに、ＬＣＤ６２に表示された枠がハーフミラー５４を介して接眼レンズ５６に導かれることにより、ＯＶＦ像と枠とが重ね合わされたファインダ像が接眼レンズ５６に導かれ、そのファインダ像を観察者が観察することになる。
【００５３】
図４に示したように、撮影画角がＷＩＤＥからＴＥＬＥに向けて小さくなっていくと、ファインダ像内の撮影範囲を示す枠のサイズが小さくなっていく。
【００５４】
枠の形状は特に限定されない。図４に示したように撮影範囲のコーナーのみを示す間欠形状の枠であってもよいし、四角形状であってもよい。
【００５５】
なお、前述の実施形態では、単焦点の光学ビューファインダ（ＯＶＦ）と電子ビューファインダ（ＥＶＦ）とをハイブリッドした場合を例に説明したが、本発明はこのような場合に特に限定されない。本発明は、光学ビューファインダが単焦点でない場合にも適用可能である。即ち、図１に示した単焦点の対物レンズ５２の代わりに、光学変倍が可能な光学系を設けてもよい。例えば、電子ズームを併用して表示画像を変倍して撮影する場合や、光学ビューファインダの光学系で設定可能な画角の間隔が粗い場合などにも、本発明は効果的である。
【００５６】
また、撮影レンズ１６とハイブリッドファインダ５０の対物レンズ５２とが別体である場合を例に説明したが、撮影レンズ１６とハイブリッドファインダ５０の対物レンズ５２とを一体に構成した場合でも、本発明を適用可能である。
【００５７】
また、光学変倍が可能な撮影レンズ１６を備えた場合を例に説明したが、本発明はこのような場合に特に限定されない。本発明において、ＥＶＦ像の変倍は、光学変倍および電子変倍のうちいずれか一方または両方の変倍により行う場合を含む。本発明は、撮影レンズ１６が光学変倍機能を持たず、電子変倍で撮影する場合にも、効果的である。
【００５８】
また、本発明に係るハイブリッドファインダ装置をデジタルカメラに適用した場合を例に説明したが、本発明はこのような場合には特に限定されない。光学ビューファインダと電子ビューファインダとを組み合わせたハイブリッドファインダを備えたあらゆる電子装置に適用可能である。例えば、撮像素子により得られた画像を記録しないで出力する電子装置にも本発明は適用可能である。
【００５９】
本発明は、本明細書において説明した例や図面に図示された例には限定されず、本発明の要旨を逸脱しない範囲において、各種の設計変更や改良を行ってよいのはもちろんである。
【符号の説明】
【００６０】
１…撮像装置、１０…メモリカード（記録媒体）、１２…ＣＰＵ、１４…操作部、１６…撮影レンズ（撮影光学系）、２０…ＣＣＤ（撮像素子）、５０…ハイブリッドファインダ、５２…対物レンズ、５４…ハーフミラー、５６…接眼レンズ（接眼部）、６０…ＬＣＤドライバ、６２…ＬＣＤ（表示素子）、６４…遮蔽材、６８…遮蔽材ドライバ
【図１】
2012063716.tif 000003
【図２】
2012063716.tif 000004
【図３】
2012063716.tif 000005
【図４】
2012063716.tif 000006
【図５】
2012063716.tif 000007
【図６】
2012063716.tif 000008